(57)【要約】【課題】新規なハードウエアを追加したり、大幅なソフトウエアの変更をともなうことなく、常に遮断弁を完全な弁開状態へと復帰させる。【解決手段】弁開状態への復帰指令があった時点において（ステップＳ３）、弁閉状態へと変化した時点からの経過時間が予め定められた基準時間経過していると判定された場合には（ステップＳ４のＹ）、遮断弁１１ｂの復帰動作を複数回繰り返して行うように指令する（ステップＳ５）。これにより、遮断弁１１ｂの上流側と下流側との間で復帰動作に影響する圧力差が発生していても、復帰動作を複数回繰り返していくうちに、この圧力差が徐々に縮小されていき、最終的に遮断弁１１ｂを完全な弁開状態に戻すことができる。【選択図】図２
2005227078.tif 000002
【特許請求の範囲】
【請求項１】
ガス流路に取り付けられた遮断弁装置の遮断弁が弁開状態から弁閉状態へと変化した後に、前記遮断弁を弁開状態へと復帰させるための制御方法であって、
前記遮断弁が前記弁閉状態へと変化した時点からの経過時間を計測する計時工程と、
前記弁開状態への復帰指令があった時点において、前記経過時間が予め定められた基準時間、経過しているか否かを判定する経過時間判定工程と、
前記経過時間が既に前記基準時間経過していると判定された場合には、前記遮断弁装置に対して前記復帰動作を複数回繰り返して行うように指令する復帰制御工程と、
を含むことを特徴とする遮断弁装置の制御方法。
【請求項２】
ガス流路に取り付けられた遮断弁装置の遮断弁が弁開状態から弁閉状態へと変化した後に、前記遮断弁を弁開状態へと復帰させるための方法であって、
前記弁開状態への復帰指令があった時点において、前記遮断弁の下流側の圧力を計測する計圧工程と、
前記圧力が予め定められた基準圧力以下であるか否かを判定する圧力判定工程と、
前記圧力が基準圧力以下であると判定された場合には、前記遮断弁装置に対して前記復帰動作を複数回繰り返して行うように指令する復帰制御工程と、
を含むことを特徴とする遮断弁装置の制御方法。
【請求項３】
請求項２記載の制御方法において、
前記圧力測定工程では、
前記圧力を、前記ガスメータに保安用として装備されている圧力センサを利用して計測する、
ことを特徴とする遮断弁装置の制御方法。
【請求項４】
請求項１〜請求項３のいずれか一項に記載の制御方法において、
前記復帰制御工程では、
前記復帰動作を、前記遮断弁を小刻みに数回開閉させた後に指令する、
ことを特徴とする遮断弁装置の制御方法。
【請求項５】
ガス流路に取り付けられた遮断弁装置の遮断弁が弁開状態から弁閉状態へと変化した後に、前記遮断弁を弁開状態へと復帰させるための制御装置であって、
前記遮断弁が前記弁閉状態へと変化した時点からの経過時間を計測する計時手段と、
前記弁開状態への復帰指令があった時点において、前記経過時間が予め定められた基準時間、経過しているか否かを判定する経過時間判定手段と、
前記経過時間が既に前記基準時間経過していると判定された場合には、前記遮断弁装置に対して前記復帰動作を複数回繰り返して行うように指令する復帰制御手段と、
を含むことを特徴とする遮断弁制御装置。
【請求項６】
ガス流路に取り付けられた遮断弁装置の遮断弁が弁開状態から弁閉状態へと変化した後に、前記遮断弁を弁開状態へと復帰させるための制御装置であって、
前記弁開状態への復帰指令があった時点において、前記遮断弁の下流側の圧力を計測する計圧手段と、
前記圧力が予め定められた基準圧力以下であるか否かを判定する圧力判定手段と、
前記圧力が基準圧力以下であると判定された場合には、前記遮断弁装置に対して前記復帰動作を複数回繰り返して行うように指令する復帰制御手段と、
を含むことを特徴とする遮断弁制御装置。
【発明の詳細な説明】
【技術分野】
【０００１】
本発明は、ガス流路に取り付けられた遮断弁装置の遮断弁が弁開状態から弁閉状態へと変化した後に、遮断弁を弁開状態へと復帰させるための方法及び装置に関する。
【背景技術】
【０００２】
ガスメータは、下記特許文献１及び特許文献２等でも周知のように、流量センサや圧力センサの出力信号等を利用してガス流の異常を検出し、遮断弁装置を制御してガス流路を遮断するようになっている。そして、この異常が解消された後には、手動操作に応答して、或いは、自動的に遮断弁装置の遮断弁が弁閉状態から弁開状態へと復帰するように制御されるようになっている。
【０００３】
これを図面を用いて説明すると、ガスメータにおいてガス流の異常が検出されると、図４に示すように、ガスメータ内のガス流路１０に取り付けらている遮断弁装置１１の遮断弁１１ｂによってガス流路１０を遮断するように、遮断弁装置１１の遮断弁駆動部１１ａが制御される。すなわち、異常時には、遮断弁装置１１は弁開状態から弁閉状態からへと変化するように制御される。
【０００４】
そして、図５に示すように、異常が解消された後には、手動操作に応答して、或いは、自動的に遮断弁装置１１の遮断弁１１ｂがガス流路１０を開くように（正常状態に戻るように）、遮断弁装置１１の遮断弁駆動部１１ａが制御される。すなわち、異常解消時には、遮断弁装置１１は弁閉状態から弁開状態へと復帰するように制御される。
【０００５】
なお、この出願の発明に関連する先行技術文献情報としては次のものがある。
【特許文献１】特開平９−８９６０９号公報
【特許文献２】特開２０００−２９５８８０号公報
【発明の開示】
【発明が解決しようとする課題】
【０００６】
上述のような従来の遮断弁装置の制御方法及び装置には以下の問題があった。すなわち、遮断弁が弁開状態へと復帰制御される時点が、弁閉後、極めて短時間、例えば、１〜２時間経過した程度であれば、ほぼ問題なく、遮断弁１１ｂは図５に示すような状態に復帰することができる。
【０００７】
ところが、遮断弁が弁開状態へと復帰制御される時点が、弁閉後、比較的長期間、例えば、１週間以上経過している場合には、図６に示すように、遮断弁１１ｂが、本来のストロークぶん完全に戻り切らないことがある。これは、弁閉後、長期間経過したことにより、ガス流路１０における遮断弁１１ｂの上流側と下流側とで温度差が発生し、これによりその下流側が上流側に対して負圧となるためである。
【０００８】
図６に示すように、遮断弁１１ｂが完全に正常状態に戻り切らない不完全な状態で再び運用されると、ガス流路１０において余分な圧力損失が発生して、下流側において失火等を引きおこすことにもなりかねない。
【０００９】
よって本発明は、上述した現状に鑑み、新規なハードウエアを追加したり、大幅なソフトウエアの変更をともなうことなく、常に遮断弁を完全な弁開状態へと復帰させることができる方法及びその装置を提供することを課題としている。
【課題を解決するための手段】
【００１０】
上記課題を解決するためになされた請求項１記載の遮断弁装置の制御方法は、ガス流路に取り付けられた遮断弁装置の遮断弁が弁開状態から弁閉状態へと変化した後に、前記遮断弁を弁開状態へと復帰させるための方法であって、前記遮断弁が前記弁閉状態へと変化した時点からの経過時間を計測する計時工程と、前記弁開状態への復帰指令があった時点において、前記経過時間が予め定められた基準時間、経過しているか否かを判定する経過時間判定工程と、前記経過時間が既に前記基準時間経過していると判定された場合には、前記遮断弁装置に対して前記復帰動作を複数回繰り返して行うように指令する復帰制御工程と、を含むことを特徴とする。
【００１１】
請求項１記載の発明によれば、弁開状態への復帰指令があった時点において、弁閉状態へと変化した時点からの経過時間が予め定められた基準時間経過していると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。
【００１２】
上記課題を解決するためになされた請求項２記載の遮断弁装置の制御方法は、ガス流路に取り付けられた遮断弁装置の遮断弁が弁開状態から弁閉状態へと変化した後に、前記遮断弁を弁開状態へと復帰させるための方法であって、前記弁開状態への復帰指令があった時点において、前記遮断弁の下流側の圧力を計測する計圧工程と、前記圧力が予め定められた基準圧力以下であるか否かを判定する圧力判定工程と、前記圧力が基準圧力以下であると判定された場合には、前記遮断弁装置に対して前記復帰動作を複数回繰り返して行うように指令する復帰制御工程と、を含むことを特徴とする。
【００１３】
請求項２記載の発明によれば、弁開状態への復帰指令があった時点において、遮断弁の下流側の圧力が予め定められた基準圧力以下であると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。
【００１４】
上記課題を解決するためになされた請求項３記載の遮断弁装置の制御方法は、請求項２記載の制御方法において、前記圧力測定工程では、前記圧力を、前記ガスメータに保安用として装備されている圧力センサを利用して計測する、ことを特徴とする。
【００１５】
請求項３記載の発明によれば、本来このガスメータに保安用として装備されている圧力センサを、本遮断弁復帰方法にも利用する。
【００１６】
上記課題を解決するためになされた請求項４記載の遮断弁装置の制御方法は、請求項１〜請求項３のいずれか一項に記載の制御方法において、前記復帰制御工程では、前記復帰動作を、前記遮断弁を小刻みに数回開閉させた後に指令する、ことを特徴とする。
【００１７】
請求項４記載の発明によれば、最初に遮断弁を小刻みに数回開閉させる。これにより、遮断弁の上流側と下流側との間の圧力差がより確実に縮小する。
【００１８】
上記課題を解決するためになされた請求項５記載の遮断弁制御装置は、ガス流路に取り付けられた遮断弁装置の遮断弁が弁開状態から弁閉状態へと変化した後に、前記遮断弁を弁開状態へと復帰させるための制御装置であって、前記遮断弁が前記弁閉状態へと変化した時点からの経過時間を計測する計時手段と、前記弁開状態への復帰指令があった時点において、前記経過時間が予め定められた基準時間、経過しているか否かを判定する経過時間判定手段と、前記経過時間が既に前記基準時間経過していると判定された場合には、前記遮断弁装置に対して前記復帰動作を複数回繰り返して行うように指令する復帰制御手段と、を含むことを特徴とする。
【００１９】
請求項５記載の発明によれば、弁開状態への復帰指令があった時点において、弁閉状態へと変化した時点からの経過時間が予め定められた基準時間経過していると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。
【００２０】
上記課題を解決するためになされた請求項６記載の遮断弁制御装置は、ガス流路に取り付けられた遮断弁装置の遮断弁が弁開状態から弁閉状態へと変化した後に、前記遮断弁を弁開状態へと復帰させるための制御装置であって、前記弁開状態への復帰指令があった時点において、前記遮断弁の下流側の圧力を計測する計圧手段と、前記圧力が予め定められた基準圧力以下であるか否かを判定する圧力判定手段と、前記圧力が基準圧力以下であると判定された場合には、前記遮断弁装置に対して前記復帰動作を複数回繰り返して行うように指令する復帰制御手段と、を含むことを特徴とする。
【００２１】
請求項６記載の発明によれば、弁開状態への復帰指令があった時点において、遮断弁の下流側の圧力が予め定められた基準圧力以下であると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。
【発明の効果】
【００２２】
請求項１及び請求項５記載の発明によれば、弁開状態への復帰指令があった時点において、弁閉状態へと変化した時点からの経過時間が予め定められた基準時間経過していると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。したがって、新規なハードウエアを追加したり、大幅なソフトウエアの変更をともなうことなく、常に遮断弁を完全な弁開状態へと復帰させることができる。
【００２３】
請求項２及び請求項６記載の発明によれば、弁開状態への復帰指令があった時点において、遮断弁の下流側の圧力が予め定められた基準圧力以下であると判定された場合には、遮断弁の復帰動作を複数回繰り返して行うように指令する。これにより、遮断弁の上流側と下流側との間で復帰動作に影響する圧力差が発生していても、遮断弁の復帰動作を複数回繰り返していくうちに、この圧力差が徐々に縮小されていく。したがって、大幅なソフトウエアの変更をともなうことなく、常に遮断弁を完全な弁開状態へと復帰させることができる。
【００２４】
請求項３記載の発明によれば、本来このガスメータに保安用として装備されている圧力センサを、本遮断弁復帰方法にも利用する。したがって、新規なハードウエアを追加することなく、常に遮断弁を完全な弁開状態へと復帰させることができる。
【００２５】
請求項４記載の発明によれば、最初に遮断弁を小刻みに数回開閉させる。これにより、遮断弁の上流側と下流側との間の圧力差がより確実に縮小する。したがって、より確実に遮断弁を完全な弁開状態へと復帰させることができる。
【発明を実施するための最良の形態】
【００２６】
以下、本発明の実施の形態を図面に基づいて説明する。図１は、本発明の前提となるガスメータの概略構成を示す図である。図１に示すように、このガスメータ１は、ガス流入口１０ａとガス流出口１０ｂとを連結するガス流路１０を有している。ガス流入口１０ａ側には都市ガスやＬＰＧ等のガス供給源が接続され、ガス流出口１０ｂにはガスレンジや給湯器等のガス消費源が接続される。
【００２７】
ガス流路１０には、遮断弁装置１１、流量検出部１２及び圧力検出部１３等が配されており、これらはマイクロコンピュータを含んで構成される制御部１４に電気的に接続されている。なお、これらに駆動電源を供給する電池はここでは省略している。
【００２８】
遮断弁装置１１は、例えば、図５に示すように、遮断弁駆動部１１ａ及び遮断弁１１ｂから基本構成される。ここで、遮断弁駆動部１１ａは電動式モータから構成され、遮断弁１１ｂは弁ゴムで構成される。異常検出時には、制御部１４からの指令により、遮断弁駆動部１１ａは遮断弁１１ｂを図５中左方向に所定のストロークぶん移動させて、図４に示すように、ガス流路１０を遮断する。一方、異常解消時には、制御部１４からの指令により、遮断弁駆動部１１ａは遮断弁１１ｂを逆方向に移動させてガス流路１０を開ける。
【００２９】
流量検出部１２は、例えば、周知のマイクロフローセンサを含んで構成され、ガス流路１０を流れるガスの流速に対応する信号を制御部１４に出力する。この信号に基づき、制御部１４は、ガス流量や積算値を算出して、これを図示しない表示部に表示させる。また、圧力検出部１３は、周知の圧力センサを含んで構成され、ここを通過するガスの圧力を検出して、これを制御部１４に出力する。この圧力に基づき、制御部１４は遮断弁装置１１を制御する。
【００３０】
制御部１４は、例えば、演算部及び記憶部を含むマイクロコンピュータで構成される。記憶部には、後述の本発明に係る処理手順に対応するプログラムや基準時間、基準圧力等が予め格納されている。演算部は、記憶部に格納されるプログラムにしたがって本発明に係る制御を含む各種の処理を実行する。制御部１４はまた、本発明に係る処理手順で必要なタイマ機能も有している。
【００３１】
このような構成のガスメータを前提とし、制御部１４が行う本発明の実施形態に係る処理手順を図２及び図３を用いて説明する。図２は、本発明の第１実施形態に係る処理手順を示すフローチャートである。図３は、本発明の第２実施形態に係る処理手順を示すフローチャートである。
【００３２】
[第１実施形態]
図２のステップＳ１においては、ガスメータ１の保安動作による、遮断弁装置１１の遮断弁１１ｂの弁開状態から弁閉状態への変化が待機されおり（ステップＳ１のＮ）、弁閉状態への変化があると（ステップＳ１のＹ）、ステップＳ２に進んでタイマがスタートする。ガスメータ１の保安動作は、周知であるので、ここではその説明を省略する。なお、ステップＳ２は、請求項１、５における計時工程及び計時手段に対応する。
【００３３】
ステップＳ３においては、復帰指令が待機されており（ステップＳ３のＮ）、復帰指令があると（ステップＳ３のＹ）、ステップＳ４に進む。復帰指令は、ガスメータ１に装備される所定の復帰スイッチの手動操作に基づくものであってもよいし、流量検出部１２や圧力検出部１３の出力信号に基づくものであってもよい。
【００３４】
ステップＳ４においては、ステップＳ２でスタートしたタイマの値が参照されて、上記弁閉状態への変化時点からの経過時間が、所定の基準時間、経過しているか否かが判定される。経過時間が既に基準時間経過していると判定された場合には（ステップＳ４のＹ）、ステップＳ５に進み、さもなければ（ステップＳ４のＮ）、ステップＳ６に進む。なお、ステップＳ４は、請求項１、５における経過時間判定工程及び経過時間判定手段に対応する。
【００３５】
上記基準時間は、遮断弁が完全に復帰することができなくなる程度の上記圧力差が発生すると想定される時間であり、例えば、１週間とする。但し、基準時間は、ガスメータの種類、ガス流路のサイズ、形状、遮断弁装置の性能等に依存するため一律ではない。したがって、例えば、ガスメータの種類毎に予め求められている値が採用される。
【００３６】
ステップＳ５においては、遮断弁装置１１に対して弁開状態への復帰動作を複数回繰り返して行うように指令される。すなわち、ステップＳ５においては、弁閉状態への変化から既に上記基準時間が経過しているので、遮断弁１１ｂの上流側と下流側との間に復帰動作に影響する圧力差が発生している可能性がある。したがって、この圧力差を縮小させるために、遮断弁１１ｂの復帰動作を数回だけ繰り返す。なお、ステップＳ５は、請求項１、５における復帰制御工程及び復帰制御手段に対応する。
【００３７】
補足すると、復帰動作に影響するような圧力差が発生している場合、１回めの復帰動作では、遮断弁１１ｂが完全な弁開状態に戻ることができなくでも、遮断弁１１ｂの上流側と下流側とはつながった状態になるので、圧力差を縮小することができる。２回めの復帰動作では、圧力差を縮小した状態で復帰動作が行われるので、遮断弁１１ｂは完全な弁開状態に近い状態までことができる。したがって、このような復帰動作を２、３回繰り返すことにより、遮断弁１１ｂを完全な弁開状態に戻すことができる。
【００３８】
一方、ステップＳ６においては、遮断弁装置１１に対して弁開状態への復帰動作を１回だけ行うように指令される。すなわち、ステップＳ５においては、弁閉状態への変化してから未だ上記基準時間が経過していないので、遮断弁１１ｂの上流側と下流側との間に圧力差は、復帰動作に影響するほどの値に達していない可能性が高い。したがって、復帰動作を１回行うだけで、遮断弁１１ｂを完全な弁開状態に戻すことができる。
【００３９】
そして、ステップＳ７に進んで、タイマがリセットされて一連の遮断弁復帰が終了する。実際的には、この後上記ステップＳ１に戻ることになる。
【００４０】
このように本発明の第１実施形態によれば、弁開状態への復帰指令があった時点において、弁閉状態へと変化した時点からの経過時間が予め定められた基準時間経過していると判定された場合には、遮断弁１１ｂの復帰動作を複数回繰り返して行うように指令する。これにより、遮断弁１１ｂの上流側と下流側との間で復帰動作に影響する圧力差が発生していても、復帰動作を複数回繰り返していくうちに、この圧力差が徐々に縮小されていく。したがって、新規なハードウエアを追加したり、大幅なソフトウエアの変更をともなうことなく、常に遮断弁１１ｂを図５に示すような完全な弁開状態へと復帰させることができる。
【００４１】
[第２実施形態]
図３のステップＳ２１においては、ガスメータ１の保安動作による、遮断弁装置１１の遮断弁１１ｂの弁開状態から弁閉状態への変化が待機されおり（ステップＳ２１のＮ）、弁閉状態への変化があると（ステップＳ２１のＹ）、ステップＳ２２に進む。ガスメータ１の保安動作は、周知であるので、ここではその説明を省略する。
【００４２】
ステップＳ２２においては、復帰指令が待機されており（ステップＳ２２のＮ）、復帰指令があると（ステップＳ２２のＹ）、ステップＳ２３に進む。復帰指令は、ガスメータ１に装備される所定の復帰スイッチの手動操作に基づくものであってもよいし、流量検出部１２や圧力検出部１３の出力信号に基づくものであってもよい。
【００４３】
ステップＳ２３においては、圧力検出部１３にて検出される遮断弁１１ｂの下流側の圧力が予め定められた基準圧力以下であるか否かが判定され、基準圧力以下であると判定された場合には（ステップＳ２３のＹ）、ステップＳ２４に進み、さもなければ（ステップＳ２３のＮ）、ステップＳ２５に進む。なお、ステップＳ２３は、請求項２、６における計圧工程及び圧力判定工程、計圧手段及び圧力判定手段に対応する。
【００４４】
上記基準圧力は、遮断弁が完全に復帰することができなくなると想定される遮断弁の下流側の圧力であり、例えば、１５ｋＰａとする。但し、基準圧力は、ガスメータの種類、ガス流路のサイズ、形状、遮断弁装置の性能等に依存するため一律ではない。したがって、例えば、ガスメータの種類毎に予め求められている値が採用される。
【００４５】
ステップＳ２４においては、遮断弁装置１１に対して弁開状態への復帰動作を複数回繰り返して行うように指令される。すなわち、ステップＳ２４においては、遮断弁１１ｂの上流側と下流側との間に復帰動作に影響する圧力差が発生している可能性がある。したがって、この圧力差を縮小させるために、遮断弁１１ｂの復帰動作を数回だけ繰り返す。なお、ステップＳ２４は、請求項２、６における復帰制御工程に対応する。
【００４６】
補足すると、復帰動作に影響するような圧力差が発生している場合、１回めの復帰動作では、遮断弁１１ｂが完全な弁開状態に戻ることができなくでも、遮断弁１１ｂの上流側と下流側とはつながった状態になるので、圧力差を縮小することができる。２回めの復帰動作では、圧力差を縮小した状態で復帰動作が行われるので、遮断弁１１ｂは完全な弁開状態に近い状態までことができる。したがって、このような復帰動作を２、３回繰り返すことにより、遮断弁１１ｂを完全な弁開状態に戻すことができる。
【００４７】
一方、ステップＳ２５においては、遮断弁装置１１に対して弁開状態への復帰動作を１回だけ行うように指令される。すなわち、ステップＳ２５においては、遮断弁１１ｂの上流側と下流側との間に圧力差は、復帰動作に影響するほどの値に達していない可能性が高い。したがって、復帰動作を１回行うだけで、遮断弁１１ｂを完全な弁開状態に戻すことができる。
【００４８】
そして、一連の遮断弁復帰が終了する。実際的には、この後上記ステップＳ２１に戻ることになる。
【００４９】
このように本発明の第２実施形態によれば、弁開状態への復帰指令があった時点において、遮断弁１１ｂの下流側の圧力が予め定められた基準圧力以下であると判定された場合には、遮断弁１１ｂの復帰動作を複数回繰り返して行うように指令する。これにより、遮断弁１１ｂの上流側と下流側との間で復帰動作に影響する圧力差が発生していても、復帰動作を複数回繰り返していくうちに、この圧力差が徐々に縮小されていく。したがって、大幅なソフトウエアの変更をともなうことなく、常に遮断弁１１ｂを図５に示すような完全な弁開状態へと復帰させることができる。
【００５０】
特に、第２実施形態では、本来この種のガスメータに保安用として装備されている、圧力検出部１３に含まれる圧力センサを利用することにより、新規なハードウエアを追加することなく、常に遮断弁を完全な弁開状態へと復帰させることができる。
【００５１】
なお、上記図２のステップＳ５の処理の前及び図３のステップＳ２４の処理の前に、遮断弁１１ｂを小刻みに数回開閉させるようにしてもよい。これにより、遮断弁１１ｂの上流側と下流側との間の圧力差がより確実に縮小する。したがって、より確実に遮断弁を完全な弁開状態へと復帰させることができる。
【００５２】
また、上記実施形態では、ガスメータ内に請求項記載のガス流路及び各手段が存在する例（すなわち、ガスメータが遮断弁制御装置に対応する例）を示したが、本発明では、ガス流路及び各手段は必ずしもガスメータ内に存在する必要はない。例えば、ガス流路はガスメータ外に敷設された配管であり、ここに遮断弁装置が取り付けられており、これを請求項記載の各手段を有する管理センタからの遠隔指令により制御するようにしてもよく、本発明はこのようなケースも含むものである。本発明は、上記実施形態に限定されず、その主旨の範囲で変更された形態も含むものである。
【図面の簡単な説明】
【００５３】
【図１】本発明の前提となるガスメータの概略構成を示す図である。
【図２】本発明の第１実施形態に係る処理手順を示すフローチャートである。
【図３】本発明の第２実施形態に係る処理手順を示すフローチャートである。
【図４】弁閉状態にある遮断弁装置を示す図である。
【図５】完全な弁開状態にある遮断弁装置を示す図である。
【図６】不完全な弁開状態にある遮断弁装置を示す図である。
【符号の説明】
【００５４】
１  ガスメータ
１１  遮断弁装置
１１ａ  遮断弁駆動部
１１ｂ  遮断弁
１２  流量検出部
１３  圧力検出部
１４  制御部
【図１】
2005227078.tif 000003
【図２】
2005227078.tif 000004
【図３】
2005227078.tif 000005
【図４】
2005227078.tif 000006
【図５】
2005227078.tif 000007
【図６】
2005227078.tif 000008